【事件の表示】
　特許第２９７８６８４号「液晶表示装置」の請求項１ないし４に係る特許に対する特許異議の申立てについて、次のとおり決定する。
【結　論】
　訂正を認める。
　特許第２９７８６８４号の請求項１ないし４に係る特許を維持する。
【理　由】
（１）手続の経緯
　特許第２９７８６８４号の請求項１ないし４に係る発明についての出願は、平成５年８月２３日に特許出願され、平成１１年９月１０日にその発明について特許の設定登録がなされ、その後、その特許について、古川京子より特許異議の申立がなされ、取消理由通知がなされ、その指定期間内である平成１２年１０月４日に訂正請求がなされたものである。
（２）訂正の適否についての判断
ア．訂正の内容
　特許権者は、以下の訂正を求めるものである。
ａ．特許請求の範囲の請求項１を、
「【請求項１】　電極パターンから延出した電極端子群が縁部に形成されている液晶パネルと、この液晶パネルを駆動するためのＩＣを搭載して該液晶パネルの上記縁部に並設される複数のテープキャリアとを備え、各テープキャリアの一端部に形成されているリード線に上記電極端子が接続される液晶表示装置において、上記電極端子群の引き回し形状を対応する上記テープキャリアのリード線に向かって先窄まりにするとともに、これら電極端子群の引き回し形状のうち互いに隣りあってはいるがそれぞれ異なるテープキャリアに接続される一方の電極端子と他方の電極端子の長さを略同等に設定したことを特徴とする液晶表示装置。」
と訂正する。
ｂ．特許明細書の段落番号【０００８】の記載を
「【課題を解決するための手段】
　本発明の上記目的は、電極パターンから延出した電極端子群が縁部に形成されている液晶パネルと、この液晶パネルを駆動するためのＩＣを搭載して該液晶パネルの上記縁部に並設される複数のテープキャリアとを備え、各テープキャリアの一端部に形成されているリード線に上記電極端子が接続される液晶表示装置において、上記電極端子群の引き回し形状を対応する上記テープキャリアのリード線に向かって先窄まりにするとともに、これら電極端子群の引き回し形状のうち互いに隣りあってはいるがそれぞれ異なるテープキャリアに接続される一方の電極端子と他方の電極端子を線対称に形成するなどして、これら両電極端子の長さを略同等に設定することによって達成され、また、液晶パネルの縁部に並設される複数のテープキャリアのうち少なくとも１つに、電極端子と接続されるリード線群のうち互いに隣りあう特定のリード線どうしの間隔を他のリ一ド線どうしの間隔よりも広くしたリ一ド線間隔幅広領域が設けてある液晶表示装置の場合は、上記リード線間隔幅広領域を挟んで隣りあう一対のリード線にそれぞれ接続されて互いに隣りあう一方の電極端子と他方の電極端子を線対称に形成するなどして、これら両電極端子の長さを略同等に設定することによっても達成される。」
と訂正する。
イ．訂正の目的の適否、新規事項の有無及び拡張・変更の存否
　訂正事項ａ.は、本件図面の図１および明細書の段落番号【０００１５】の「・・・同一のテープキャリア４に接続される９０〜１００本の電極端子２群は該テープキャリア４に向かって先窄まりの引き回し形状を呈する・・・」等の記載に基づいて、請求項１の電極端子群の引き回し形状を限定するものであり、特許請求の範囲を減縮するものであり、新規事項の追加に該当せず、実質的に特許請求の範囲を拡張または変更するものでもない。
　訂正事項b.は、訂正事項a..に伴い、請求項１の記載と発明の詳細な説明の欄の記載の整合をとるためにしたものであり、明瞭でない記載の釈明を目的とするものであり、新規事項の追加に該当せず、実質的に特許請求の範囲を拡張または変更するものでもない。
ウ．むすび
　以上のとおりであるから、上記訂正は、特許法等の一部を改正する法律（平成６年法律第１１６号）附則第６条第１項の規定によりなお従前の例によるとされる、特許法第１２０条の４第３項で準用する平成６年法律第１１６号による改正前の特許法第第１２６条第１項ただし書き、第２項及び第３項の規定に適合するので当該訂正を認める。
（３）特許異議申立てについての判断
ア．本件発明　
　訂正明細書の請求項１ないし４に係る発明（以下、それぞれ「本件発明１」ないし「本件発明４」という。）は、その特許請求の範囲の請求項１ないし４に記載された以下のとおりのものである。
「【請求項１】　電極パターンから延出した電極端子群が縁部に形成されている液晶パネルと、この液晶パネルを駆動するためのＩＣを搭載して該液晶パネルの上記縁部に並設される複数のテープキャリアとを備え、各テープキャリアの一端部に形成されているリード線に上記電極端子が接続される液晶表示装置において、上記電極端子群の引き回し形状を対応する上記テープキャリアのリード線に向かって先窄まりにするとともに、これら電極端子群の引き回し形状のうち互いに隣りあってはいるがそれぞれ異なるテープキャリアに接続される一方の電極端子と他方の電極端子の長さを略同等に設定したことを特徴とする液晶表示装置。
【請求項２】　請求項１の記載において、隣りあうテープキャリアの間隔を二等分する直線に関して、これらテープキャリアにそれぞれ接続されて互いに隣りあう一方の電極端子と他方の電極端子を線対称な位置関係に形成したことを特徴とする液晶表示装置。
【請求項３】　電極パターンから延出した電極端子群が縁部に形成されている液晶パネルと、この液晶パネルを駆動するためのＩＣを搭載して該液晶パネルの上記縁部に並設される複数のテープキャリアとを備え、各テープキャリアの一端部に形成されているリード線に上記電極端子が接続されるとともに、これらテープキャリアのうち少なくとも１つに、上記電極端子と接続されるリード線群のうち互いに隣りあう特定のリード線どうしの間隔を他のリード線どうしの間隔よりも広くしたリード線間隔幅広領域が設けてある液晶表示装置において、上記リード線間隔幅広領域を挟んで隣りあう一対のリード線にそれぞれ接続されて互いに隣りあう一方の上記電極端子と他方の上記電極端子の長さを略同等に設定したことを特徴とする液晶表示装置。
【請求項４】　請求項３の記載において、上記リード線間隔幅広領域を挟んで隣りあう一対のリード線の間隔を二等分する直線に関して、これら一対のリード線にそれぞれ接続されて互いに隣りあう一方の電極端子と他方の電極端子を線対称な位置関係に形成したことを特徴とする液晶表示装置。」
イ．申立の理由の概要
　申立人古川京子は、甲第１号証（特開平４−３６９６２２号公報）を提出して、本件請求項１ないし２に係る特許発明は、甲第１号証に記載された発明と同一または、甲第１号証に記載された発明から当業者が容易に発明をすることができたものであるから、本件請求項１ないし２に係る特許発明は特許法第２９条第１項第３号または第２項の規定により特許を受けることができず、取り消されるべきであり、本件請求項３ないし４に係る特許発明は甲第１号証に記載された発明から当業者が容易に発明をすることができたものであるから、本件請求項３ないし４に係る特許発明は特許法第２９条第２項の規定により特許を受けることができず、取り消されるべきであると主張している。
ウ．判断
（引用刊行物）
　申立人古川京子が提出した上記甲第１号証（特開平４−３６９６２２号公報）には下記の事項が記載されている。
「【０００４】【発明が解決しようとする課題】このような液晶表示装置においては、ＴＡＢ基板ＴＡＢはポリイミド樹脂フィルム等の有機フィルムからなるから、ＴＡＢ基板ＴＡＢの製造工程において伸縮しやすく、距離ＷTの誤差が±０．１ｍｍ以上にもなるから、接続端子ＴＴＭ１とドレイン端子ＤＴＭ１とのピッチが合わなくなり、接続端子ＴＴＭ１とドレイン端子ＤＴＭ１との接続不良が発生する。
【０００５】この発明は上述の課題を解決するためになされたもので、回路基板の接続端子と信号線端子との接続不良が発生することがない液晶表示基板、液晶表示パネルおよび液晶表示装置を提供することを目的とする。」（【０００４】および【０００５】段落）
　甲第１号証の図１５には、液晶表示基板ＳＵＢ１とそれに接続されるＴＡＢ基板ＴＡＢが図示されている。この図１５に示す液晶表示基板ＳＵＢ１には、電極パターンから延出した電極端子群であるドレイン端子ＤＴＭ、ゲート端子ＧＴＭが、その縁部に形成されている。一方、図１５に示すＴＡＢ基板ＴＡＢには、液晶基板ＳＵＢ１のドレイン端子ＤＴＭに接続される接続端子ＴＴＭと、それらに接続される駆動回路素子ＤＣＥとが設けられている。（【０００３】段落参照）甲第１号証の図１４には、液晶表示基板ＳＵＢ１が図示されている。この図１４に示す液晶表示基板ＳＵＢ１にも、図１５と同様に、電極パターンから延出した電極端子群であるドレイン端子ＤＴＭ、ゲート端子ＧＴＭが、その縁部に形成されている。図１４に示すドレイン端子ＤＴＭ、ゲート端子ＧＴＭは、それぞれ９本を１組とする信号端子群毎に分割されている。ドレイン端子ＤＴＭの信号端子群は、上下２辺に３箇所ずつ計６箇所に設けられている。ゲート端子ＧＴＭの信号端子群は、左辺の２箇所に設けられている。この各箇所に、ＩＣを搭載したＴＡＢ基板が接続される。図１４に示す液晶表示基板ＳＵＢ１とＴＡＢ基板とにそれぞれ設けられて互いに接続される端子の形状が、甲第１号証の図１に示されている。そして、この図１及び図１４に関して、甲第１号証の明細書の段落【００５０】には、「図１、図１４に示すように、ゲート端子ＧＴＭ、ドレイン端子ＤＴＭが複数の信号端子群に分けられ、たとえばドレイン端子ＤＴＭ群のそれぞれのドレイン端子ＤＴＭの延長線が一点Ｏｓに収束している。また、ＴＡＢ基板ＴＡＢに形成されかつドレイン端子ＤＴＭと接続される接続端子ＴＴＭ群のそれぞれの端子の延長線は−点○Ｔに収束している。」と記載されており、図１、図１４には、ドレイン端子ＤＴＭ群、ゲート端子ＧＴＭ群は、ＴＡＢ基板の接続端子ＴＴＭ群に向かって末広がりになっていることが認められる。
（対比・判断）
　上記甲第１号証には、本件発明１ないし２に共通の「液晶パネル電極パターンから延出した電極端子群の引き回し形状を、対応する上記テープキャリアのリード線に向かって先窄まりにするとともに、これら電極端子群の引き回し形状のうち互いに隣りあってはいるがそれぞれ異なるテープキャリアに接続される一方の電極端子と他方の電極端子の長さを略同等に設定すること」についての記載ないし示唆はない。また、上記甲第１号証には、本件発明３ないし４に共通の「液晶パネル電極パターンから延出した電極端子と接続されるテープキャリアのリード線群のうち互いに隣りあう特定のリード線どうしの間隔を他のリード線どうしの間隔よりも広くしたリード線間隔幅広領域を少なくとも一つのテープキャリアに設けてある液晶表示装置において、上記リード線間隔幅広領域を挟んで隣りあう一対のリード線にそれぞれ接続されて互いに隣りあう一方の上記電極端子と他方の上記電極端子の長さを略同等に設定したこと」についての記載ないし示唆はない。
　そして、これらのことにより、本件発明１ないし４は、「液晶パネルの電極端子群のうち、互いに隣りあってはいるがこれまで長さに大きな相違を生じる可能性のあった特定の電極端子について、両者の長さを略同等に設定することで引き回し抵抗の相違をほとんどなくしているので、これら電極端子を延出せしめた隣接する電極パターンにて形成される隣接画素間に、引き回し抵抗の相違に起因する表示コントラストのむらが発生しなくなり、よって液晶表示装置の表示品位を高めることができる。」という明細書記載の格別な効果を奏するものであるので、本件発明１ないし４は、上記甲第１号証に記載された発明から容易に発明することができたものとも同一ともいえない。
　
エ．むすび
　以上のとおりであるから、特許異議申立の理由及び証拠によっては、本件発明１ないし４についての特許を取り消すことはできない。
　また、他に本件発明１ないし４についての特許を取り消すべき理由を発見しない。
　よって、結論のとおり決定する。
【異議決定日】
平成１２年１１月１６日（２０００．１１．１６）
【訂正の要旨】
訂正の要旨
ａ．特許請求の範囲の請求項１を、
「【請求項１】　電極パターンから延出した電極端子群が縁部に形成されている液晶パネルと、この液晶パネルを駆動するためのＩＣを搭載して該液晶パネルの上記縁部に並設される複数のテープキャリアとを備え、各テープキャリアの一端部に形成されているリード線に上記電極端子が接続される液晶表示装置において、上記電極端子群の引き回し形状を対応する上記テープキャリアのリード線に向かって先窄まりにするとともに、これら電極端子群の引き回し形状のうち互いに隣りあってはいるがそれぞれ異なるテープキャリアに接続される一方の電極端子と他方の電極端子の長さを略同等に設定したことを特徴とする液晶表不装置。」
と訂正する。
ｂ．特許明細書の段落番号【０００８】の記載を
「【課題を解決するための手段】
　本発明の上記目的は、電極パターンから延出した電極端子群が縁部に形成されている液晶パネルと、この液晶パネルを駆動するためのＩＣを搭載して該液晶パネルの上記縁部に並設される複数のテープキャリアとを備え、各テープキャリアの一端部に形成されているリード線に上記電極端子が接続される液晶表示装置において、上記電極端子群の引き回し形状を対応する上記テープキャリアのリード線に向かって先窄まりにするとともに、これら電極端子群の引き回し形状のうち互いに隣りあってはいるがそれぞれ異なるテープキャリアに接続される一方の電極端子と他方の電極端子を線対称に形成するなどして、これら両電極端子の長さを略同等に設定することによって達成され、また、液晶パネルの縁部に並設される複数のテープキャリアのうち少なくとも１つに、電極端子と接続されるリード線群のうち互いに隣りあう特定のリード線どうしの間隔を他のリード線どうしの間隔よりも広くしたリード線間隔幅広領域が設けてある液晶表示装置の場合は、上記リード線間隔幅広領域を挟んで隣りあう一対のリード線にそれぞれ接続されて互いに隣りあう一方の電極端子と他方の電極端子を線対称に形成するなどして、これら両電極端子の長さを略同等に設定することによっても達成される。」
と訂正する。
（５４）【発明の名称】
　液晶表示装置
（５７）【特許請求の範囲】
　【請求項１】　電極パターンから延出した電極端子群が縁部に形成されている液晶パネルと、この液晶パネルを駆動するためのＩＣを搭載して該液晶パネルの上記縁部に並設される複数のテープキャリアとを備え、各テープキャリアの一端部に形成されているリード線に上記電極端子が接続される液晶表示装置において、
上記電極端子群の引き回し形状を対応する上記テープキャリアのリード線に向かって先窄まりにするとともに、これら
の引き回し形状
　【請求項２】　請求項１の記載において、隣りあうテープキャリアの間隔を二等分する直線に関して、これらテープキャリアにそれぞれ接続されて互いに隣りあう一方の電極端子と他方の電極端子を線対称な位置関係に形成したことを特徴とする液晶表示装置。
　【請求項３】　電極パターンから延出した電極端子群が縁部に形成されている液晶パネルと、この液晶パネルを駆動するためのＩＣを搭載して該液晶パネルの上記縁部に並設される複数のテープキャリアとを備え、各テープキャリアの一端部に形成されているリード線に上記電極端子が接続されるとともに、これらテープキャリアのうち少なくとも１つに、上記電極端子と接続されるリード線群のうち互いに隣りあう特定のリード線どうしの間隔を他のリード線どうしの間隔よりも広くしたリード線間隔幅広領域が設けてある液晶表示装置において、上記リード線間隔幅広領域を挟んで隣りあう一対のリード線にそれぞれ接続されて互いに隣りあう一方の上記電極端子と他方の上記電極端子の長さを略同等に設定したことを特徴とする液晶表示装置。
　【請求項４】　請求項３の記載において、上記リード線間隔幅広領域を挟んで隣りあう一対のリード線の間隔を二等分する直線に関して、これら一対のリード線にそれぞれ接続されて互いに隣りあう一方の電極端子と他方の電極端子を線対称な位置関係に形成したことを特徴とする液晶表示装置。
【発明の詳細な説明】
　【０００１】
　【産業上の利用分野】
　本発明は、ＩＣを搭載したテープキャリアを液晶パネルの縁部に配置して、該テープキャリアのリード線と該液晶パネルの電極端子とを接続させた液晶表示装置に関する。
　【０００２】
　【従来の技術】
　一般に、ドットマトリクス型の液晶表示装置には、液晶パネルの上ガラス基板と下ガラス基板の対向面に互いに直交する方向に延びる多数本の電極パターンが形成されていて、これら行方向または列方向に延びる電極パターン（コモン電極パターンとセグメント電極パターン）から延出した電極端子群がそれぞれのガラス基板の縁部に形成されている。そして、リード線群を形成したフレキシブル基板上にＩＣチップを搭載してなるテープキャリア（Ｔａｐｅ　Ｃａｒｒｉｅｒ　Ｐａｃｋａｇｅ）を、それぞれのガラス基板の上記縁部に適宜配置し、異方性導電接着剤等を介して各テープキャリアの一端部のリード線群と上記電極端子群とを接続するとともに、各テープキャリアの他端部のリード線群をプリント配線板等の制御回路に接続することにより、液晶パネルが上記ＩＣチップにて駆動されるようになっている。
　【０００３】
　例えば、液晶パネルの一辺端に沿う縁部に４８０本の電極端子が形成されていて、出力端子数が１００本のテープキャリアを用いる場合、従来は液晶パネルの該縁部に５枚のテープキャリアを等間隔に並設してリード線群と電極端子群とを接続していた。なお、このようにテープキャリア側で利用可能な出力端子の総数が接続すべき電極端子の総数よりも多いときには、一部のテープキャリアに電極端子に接続されない不使用のリード線が若干存在するが、これらはダミーパターンと見なすことができる。
　【０００４】
　【発明が解決しようとする課題】　
　ところで、電極端子群が形成されている液晶パネルの縁部に複数のテープキャリアを並設して各テープキャリアのリード線群と電極端子群とを接続している液晶表示装置は、該リード線群のピッチを該電極端子群のピッチよりも狭くしなければならないので、必然的に、図３に示すように、液晶パネル１の電極端子２群は自らが導出されるテープキャリア４に向かって先窄まりの引き回し形状を呈することになるが、上述したように液晶パネル１の縁部に複数のテープキャリア４が等間隔に並設されていると、互いに隣りあってはいるがそれぞれ異なるテープキャリア４に接続される電極端子２，２（図３中の符号２ａ，２ｂや２ｃ，２ｄ）の引き回し形状を線対称に設定することができず、例えば電極端子２ａが隣りの電極端子２ｂよりもかなり長くなってしまうというアンバランスが避けがたい。そして、このように隣りあう電極端子２，２どうしの長さに大きな差があると、両者の引き回し抵抗が大きく異なってしまうので、これら電極端子２，２を延出せしめた隣接する電極パターン３，３にて形成される隣接画素間に表示コントラストのむらを生じてしまうという不具合があった。
　【０００５】
　また、液晶パネル１の縁部に配置されたテープキャリア４に電極端子２に接続されない不使用のリード線が存在する場合、この不使用リード線の形成個所が、電極端子２に接続されるリード線５群のなかで局部的にピッチの広いリード線間隔幅広領域７となるが、従来は、このリード線間隔幅広領域７を挟んで隣りあうリード線５ａ，５ｂにそれぞれ接続される一対の電極端子２ｍ，２ｎの長さの相違については注意が払われていなかったので、例えば図３に示すように、隣りあう一方の電極端子２ｍが他方の電極端子２ｎよりもかなり長くて両者の引き回し抵抗が大きく異なることがあり、その結果、これら電極端子２ｍ，２ｎを延出せしめた隣接する電極パターン３，３にて形成される隣接画素間に表示コントラストのむらを生じる虞があった。
　【０００６】
　なお、図３中の符号６は、液晶パネル１を駆動するために各テープキャリア４に搭載されたＩＣチップを示しており、このＩＣチップ６は当該テープキャリア４のリード線５群に接続されている。　　　
　【０００７】
　本発明は上述した従来技術の課題に鑑みてなされたもので、その目的は、液晶パネルの電極端子の引き回し抵抗の相違に起因する表示コントラストのむらをなくして表示品位を高めた液晶表示装置を提供することにある。
　【０００８】
　【課題を解決するための手段】
　本発明の上記目的は、電極パターンから延出した電極端子群が縁部に形成されている液晶パネルと、この液晶パネルを駆動するためのＩＣを搭載して該液晶パネルの上記縁部に並設される複数のテープキャリアとを備え、各テープキャリアの一端部に形成されているリード線に上記電極端子が接続される液晶表示装置において、
上記電極端子群の引き回し形状を対応する上記テープキャリアのリード線に向かって先窄まりにするとともに、これら
の引き回し形状
　【０００９】
　【作用】
　上記手段によれば、液晶パネルの電極端子群のうち、互いに隣りあってはいるがこれまで長さに大きな相違を生じる可能性のあった特定の電極端子について、両者の長さを略同等に設定することで引き回し抵抗の相違をほとんどなくしているので、これら電極端子を延出せしめた隣接する電極パターンにて形成される隣接画素間に、引き回し抵抗の相違に起因する表示コントラストのむらが発生しなくなる。
　【００１０】
　【実施例】
　以下、本発明の一実施例を図１および図２に基づいて説明する。ここで、図１は本実施例に係る液晶表示装置の要部平面図、図２は図１に示す要部の側面図であり、従来技術の説明に用いた図３と対応する部分には同一符号が付してある。
　【００１１】
　図１，２において、符号１は、上ガラス基板８と下ガラス基板９との間に液晶を封入して図示省略せる偏光板等を付設したドットマトリクス型の液晶パネルを総括的に示しており、この液晶パネル１の両ガラス基板８，９にはＩＴＯ等からなる電極パターン３群および電極端子２群が形成されている。すなわち、両ガラス基板８，９の対向面に互いに直交する方向に延びる多数本の電極パターン３が形成されているとともに、これら行方向または列方向に延びる電極パターン３から延出した電極端子２群が、それぞれのガラス基板８または９の縁部に形成されている。（ただし、図１では煩雑さを避けるため、上ガラス基板８側の電極端子２や電極パターン３については省略してある。）また、図中の符号４は、液晶パネル１を駆動するためのＩＣチップ６を搭載して該液晶パネル１の上記縁部に並設されるテープキャリアを総括的に示しており、各テープキャリア４には銅箔をエッチングしてなる多数本のリード線５が形成されていて、これらのリード線５はＩＣチップ６に接続されている。なお、各テープキャリア４のリード線５群は図示省略せるカバーフィルムにてほぼ被覆されているが、当該テープキャリア４の両端部においてリード線５群は露出されている。そして、電極端子２群が露出する液晶パネル１の縁部に、図示省略する異方性導電シートを介在させて各テープキャリア４の一端部を載置し、電極端子２群とリード線５群とを位置合わせしてから加圧加熱することにより、対応する電極端子２とリード線５とを接続した状態で各テープキャリア４が液晶パネル１の該縁部に並設されている。
　【００１２】
　さて、図１は、４８０本の電極端子２が形成されている下ガラス基板９の縁部に、出力端子数が１００本のテープキャリア４を５枚並設した様子を示しているが、同図に明らかなように本実施例は、電極端子２群のうち互いに隣りあってはいるがそれぞれ異なるテープキャリア４に接続される電極端子２，２（図中の符号２ａ，２ｂや２ｃ，２ｄや２ｅ，２ｆや２ｇ，２ｈ）の引き回し形状がいずれも線対称に設定してある。また、テープキャリア４側で利用可能な出力端子の総数５００が接続き電極端子２の総数４８０よりも多いことから、５枚のテープキャリア４のうち図１の左端と真ん中の２枚に電極端子２に接続されない不使用リード線が１０本ずつ存在しており、真ん中のテープキャリア４は不使用リード線の形成個所が局部的にピッチの広いリード線間隔幅広領域７となっているが、本実施例では、このリード線間隔幅広領域７を挟んで隣りあうリード線５ａ，５にそれぞれ接続される一対の電極端子２ｍ，２ｎの引き回し形状も線対称に設定してある。
　【００１３】
　すなわち、図１中の角度Ａと角度Ｂを同等にすることにより、互いに隣りあう２枚のテープキャリア４，４の間隔を二等分する直線Ｌ１に関して電極端子２ａ，２ｂが線対称な位置関係に形成されており、同様に、角度Ｃと角度Ｄを同等にすることで直線Ｌ２に関して電極端子２ｃ，２ｄが線対称な位置関係に形成されており、角度Ｅと角度Ｆを同等にすることで直線Ｌ３に関して電極端子２ｅ，２ｆが線対称な位置関係に形成されており、角度Ｇと角度Ｈを同等にすることで直線Ｌ４に関して電極端子２ｇ，２ｈが線対称な位置関係に形成されている。具体的は、角度Ａ＝角度Ｂ＝２９．５度、角度Ｃ＝角度Ｄ＝３３．８度、角度Ｅ＝角度Ｆ＝４０．６度、角度Ｇ＝角度Ｈ＝２５．５度に設定してあり、そのため、互いに隣りあう一方のテープキャリア４の中心線と他方のテープキャリア４の中心線の間隔Ｗ１，Ｗ２，Ｗ３，Ｗ４は、Ｗ１＝３４．５ｍｍ、Ｗ２＝３１．４ｍｍ、Ｗ３＝２８．０ｍｍ、Ｗ４＝３８．１ｍｍに設定されている。
　【００１４】
　また、図１中の角度Ｍと角度Ｎを同等にすることにより、リード線間隔幅広領域７を挟んで隣りあうリード線５ａ，５ｂの間隔を二等分する直線Ｌ５に関して、電極端子２ｍ，２ｎが線対称な位置関係に形成されており、具体的には、リード線５ａ，５ｂの間隔が１．５ｍｍで、角度Ｍ＝角度Ｎ＝８３．１度に設定してある。
　【００１５】
　このように上記実施例は、液晶パネル１の電極端子２群のうち、互いに隣りあってはいるがこれまで長さに大きな相違を生じる可能性のあった特定の電極端子２ａと２ｂ、２ｃと２ｄ、２ｅと２ｆ、２ｇと２ｈ、２ｍと２ｎをそれぞれ線対称な位置関係に形成し、両者を同等の長さに設定することで引き回し抵抗の相違をなくしているので、これら特定の電極端子２，２を延出せしめた隣接する電極パターン３，３にて形成される隣接画素間に、引き回し抵抗の相違に起因する表示コントラストのむらが発生しなくなって、液晶表示装置の表示品位向上が実現されている。なお、同一のテープキャリア４に接続される９０〜１００本の電極端子２群は該テープキャリア４に向かって先窄まりの引き回し形状を呈するため、この電極端子２群の中で隣りあう電極端子２，２の長さをすべて同等に設定することはできないが、この場合、隣りあう電極端子２，２の長さの差は極めて僅かなので、隣接画素間の表示コントラストのむらは無視できるほど小さい。
　【００１６】
　また、上記実施例では、互いに隣りあってはいるがそれぞれ異なるテープキャリア４に接続される電極端子２，２（電極端子２ａ，２ｂ等）の長さを全く同等にするために、角度Ａ＝角度Ｂ、角度Ｃ＝角度Ｄ、角度Ｅ＝角度Ｆ、角度Ｇ＝角度Ｈに設定しているが、隣りあう電極端子２，２の長さに僅かの差があっても隣接画素間の表示コントラストのむらは視認されないので、例えば、角度Ａ＝２９．６度、角度Ｂ＝２９．８度、角度Ｃ＝３４．６度、角度Ｄ＝３３．６度、角度Ｅ＝４０．９度、角度Ｆ＝４０．４度、角度Ｇ＝２５．５度、角度Ｈ＝２５．４度に設定しても、表示品位の向上が図れる。ただしこの場合、隣りあうテープキャリア４，４の間隔を上記実施例とは若干変える必要がある。
　【００１７】
　なお、隣りあう電極端子２，２の引き回し抵抗の相違を小さくする手段として、長さの違いを太さで調整することも考えられるが、その場合、必要な太さを割り出すために煩雑な計算を行わねばならず、かつエッチング条件によって所望の太さが得られない虞もあるので、上記実施例のように長さを略同等に設定したほうが簡単かつ確実である。　【００１８】
　【発明の効果】
　以上説明したように、本発明によれば、液晶パネルの電極端子群のうち、互いに隣りあってはいるがこれまで長さに大きな相違を生じる可能性のあった特定の電極端子について、両者の長さを略同等に設定することで引き回し抵抗の相違をほとんどなくしているので、これら電極端子を延出せしめた隣接する電極パターンにて形成される隣接画素間に、引き回し抵抗の相違に起因する表示コントラストのむらが発生しなくなり、よって液晶表示装置の表示品位を高めることができるという優れた効果を奏する。
【図面の簡単な説明】
　【図１】
　本実施例に係る液晶表示装置の要部平面図である。
　【図２】
　図１に示す要部の側面図である。
　【図３】
　従来技術を説明するための平面図である。
　【符号の説明】
　１　液晶パネル
　２（２ａ〜２ｈ，２ｍ，２ｎ）　電極端子
　３　電極パターン
　４　テープキャリア
　５（５ａ，５ｂ）　リード線
　６　ＩＣチップ
　７　リード線間隔幅広領域